(57)【要約】      （修正有）【課題】ケース本体の薄性の箱形状を維持して呼出表示機能を備える携帯通信端末器用ケースを提供する。【解決手段】ケース本体１と、携帯通信端末器の呼出の際に発光する発光体２と、携帯通信端末器の呼出を検知して発光体に点灯を指示するコントローラ３と、発光体２の駆動源となるバッテリ４と、コントローラ３とバッテリ４との接続を断続するスイッチ５とを備え、発光体２，コントローラ３，バッテリ４，スイッチ５は板状にユニット化されたユニット板Ｕとされている。ケース本体１は薄性の箱形状に形成され携帯通信端末器の背面を覆う背面板１ａにユニット板Ｕを収容する収容溝１ｅが設けられ、少なくとも一部に発光体２の発光を透過する透光性が備えられ収容溝１ｅの少なくともスイッチ５に対面する部分の表面側にスイッチ５の操作を可能にする変形性が備えられている。【選択図】図１
2014155003.tif 000002
【特許請求の範囲】
【請求項１】
携帯通信端末器を覆うケース本体と、携帯通信端末器の呼出の際に発光する発光体と、携帯通信端末器の呼出を検知して発光体に点灯を指示するコントローラと、発光体の駆動源となるバッテリと、コントローラとバッテリとの接続を断続するスイッチとを備えた携帯通信端末器用ケースにおいて、発光体，コントローラ，バッテリ，スイッチは板状にユニット化されたユニット板とされ、ケース本体は携帯通信端末器の背面と側面の少なくとも一部とを覆う薄性の箱形状に形成され携帯通信端末器の背面を覆う背面板にユニット板を収容する収容溝が設けられるとともに少なくとも一部に発光体の発光を透過する透光性が備えられ収容溝の少なくともスイッチに対面する部分の表面側にスイッチの操作を可能にする変形性が備えられていることを特徴とする携帯通信端末器用ケース。
【請求項２】
請求項１の携帯通信端末器用ケースにおいて、ケース本体は収容溝が窓形に開口され表面側に表面シートが貼着されていることを特徴とする携帯通信端末器用ケース。
【請求項３】
請求項２の携帯通信端末器用ケースにおいて、ケース本体の表面シートはスイッチに対面する部分付近にスイッチの位置を表示するスイッチ位置表示が設けられていることを特徴とする携帯通信端末器用ケース。
【請求項４】
請求項１〜３のいずれかの携帯通信端末器用ケースにおいて、ケース本体は収容溝が窓形に開口されユニット板が収容された裏面側に裏面シートが貼着されていることを特徴とする携帯通信端末器用ケース。
【請求項５】
請求項４の携帯通信端末器用ケースにおいて、ケース本体の裏面シートは、バッテリの交換のためのバッテリ交換用窓が設けられていることを特徴とする携帯通信端末器用ケース。
【発明の詳細な説明】
【技術分野】
【０００１】
本発明は、携帯電話，スマートフォン等の携帯通信端末器に装着されるケースに係る技術分野に属する。
【背景技術】
【０００２】
最近、携帯通信端末器を緩衝，防汚，滑止め等の目的でケースに収容して携帯することが多くなってきている。そして、ケースについては、携帯通信端末器の呼出の際に発光する呼出表示機能を備えたものが提供されている。
【０００３】
従来、呼出表示機能を備えた携帯通信端末器用ケースとしては、例えば、特許文献１に記載のものが知られている。
【０００４】
特許文献１には、携帯通信端末器のほぼ全面を覆うケース本体と、携帯通信端末器の呼出の際に発光する発光体と、携帯通信端末器の呼出を検知して発光体に点灯を指示するコントローラと、発光体の駆動源となるバッテリと、コントローラとバッテリとの接続を断続するスイッチとを備え、コントローラ，バッテリ，スイッチがユニット化されてケース本体の外側に突出形成されたポケットに収納されている携帯通信端末器用ケースが記載されている。
【０００５】
なお、最近の携帯通信端末器用ケースは、特許文献２に記載されるように、薄性化されたスマートフォンのような携帯通信端末器に対応して、ケース本体が携帯通信端末器の背面と側面とを覆う薄性の箱形状に形成される傾向がある。
【先行技術文献】
【特許文献】
【０００６】
【特許文献１】実用新案登録第３０６６４７５号公報
【特許文献２】特開２０１２−１９１６１０公報
【発明の概要】
【発明が解決しようとする課題】
【０００７】
特許文献１に係る携帯通信端末器用ケースについて、特許文献２に係る携帯通信端末器用ケースに適用しようとすると、ケース本体の携帯通信端末の背面を覆う部分の外側にユニット化されたコントローラ，バッテリ，スイッチを収納するポケットを突出形成することになるため、ケース本体が薄性の箱形状ではなくなって薄性化された携帯通信端末器への対応性が損なわれてしまうという問題点がある。
【０００８】
本発明は、このような問題点を考慮してなされたもので、ケース本体の薄性の箱形状を維持して薄性化された携帯通信端末器への対応性を損なうことなく呼出表示機能を備えることのできる携帯通信端末器用ケースを提供することを課題とする。
【課題を解決するための手段】
【０００９】
前述の課題を解決するため、本発明に係る携帯通信端末器用ケースは、特許請求の範囲の各請求項に記載の手段を採用する。
【００１０】
即ち、請求項１では、携帯通信端末器を覆うケース本体と、携帯通信端末器の呼出の際に発光する発光体と、携帯通信端末器の呼出を検知して発光体に点灯を指示するコントローラと、発光体の駆動源となるバッテリと、コントローラとバッテリとの接続を断続するスイッチとを備えた携帯通信端末器用ケースにおいて、発光体，コントローラ，バッテリ，スイッチは板状にユニット化されたユニット板とされ、ケース本体は携帯通信端末器の背面と側面の少なくとも一部とを覆う薄性の箱形状に形成され携帯通信端末器の背面を覆う背面板にユニット板を収容する収容溝が設けられるとともに少なくとも一部に発光体の発光を透過する透光性が備えられ収容溝の少なくともスイッチに対面する部分の表面側にスイッチの操作を可能にする変形性が備えられていることを特徴とする。
【００１１】
この手段では、呼出表示機能を奏する板状のユニット板がケース本体の背面板に設けられた収容溝に収容されることで、呼出表示機能を奏する部材のケース本体からの突出が避けられる。
【００１２】
また、請求項２では、請求項１の携帯通信端末器用ケースにおいて、ケース本体は収容溝が窓形に開口され表面側に表面シートが貼着されていることを特徴とする。
【００１３】
この手段では、ケース本体の窓形の収容溝の表面側に表面シートが貼着されることで、収容溝にスイッチの操作を可能にする変形性を簡単に構成することができる。
【００１４】
また、請求項３では、請求項２の携帯通信端末器用ケースにおいて、ケース本体の表面シートはスイッチに対面する部分付近にスイッチの位置を表示するスイッチ位置表示が設けられていることを特徴とする。
【００１５】
この手段では、ケース本体の表面シートにスイッチ位置表示が設けられることで、スイッチの位置を表面側から確認することができる。
【００１６】
また、請求項４では、請求項１〜３のいずれかの携帯通信端末器用ケースにおいて、ケース本体は収容溝が窓形に開口されユニット板が収容された裏面側に裏面シートが貼着されていることを特徴とする。
【００１７】
この手段では、ユニット板が収容されたケース本体の窓形の収容溝の裏面側に裏面シートが貼着されることで、ユニット板がケース本体の収容溝に固定される。
【００１８】
また、請求項５では、請求項４の携帯通信端末器用ケースにおいて、ケース本体の裏面シートは、バッテリの交換のためのバッテリ交換用窓が設けられていることを特徴とする。
【００１９】
この手段では、ケース本体の裏面シートにバッテリ交換用窓が設けられることで、消耗したバッテリを簡単に交換することができる。
【発明の効果】
【００２０】
本発明に係る携帯通信端末器用ケースは、呼出表示機能を奏する板状のユニット板がケース本体の背面板に設けられた収容溝に収容されることで、呼出表示機能を奏する部材のケース本体からの突出が避けられるため、ケース本体の薄性の箱形状を維持して薄性化された携帯通信端末器への対応性を損なうことなく呼出表示機能を備えることができる効果がある。
【００２１】
さらに、請求項２として、ケース本体の窓形の収容溝の表面側に表面シートが貼着されることで、収容溝にスイッチの操作を可能にする変形性を簡単に構成することができるため、スイッチの操作に関連する部分についての製造が容易になる効果がある。
【００２２】
さらに、請求項３として、ケース本体の表面シートにスイッチ位置表示が設けられることで、スイッチの位置を表面側から確認することができるため、スイッチの操作を正確に行うことができるようになる効果がある。
【００２３】
さらに、請求項４として、ユニット板が収容されたケース本体の窓形の収容溝の裏面側に裏面シートが貼着されることで、ユニット板がケース本体の収容溝に固定されるため、ユニット板のケース本体の収容溝からのずれ，脱落が防止され耐久性が高くなる効果がある。
【００２４】
さらに、請求項５として、ケース本体の裏面シートにバッテリ交換用窓が設けられることで、消耗したバッテリを簡単に交換することができるため、使い捨てではなく長期の使用が可能になる効果がある。
【図面の簡単な説明】
【００２５】
【図１】本発明に係る携帯通信端末器用ケースを実施するための形態の分解状態の斜視図である。
【図２】図１の一部組立て状態図である。
【図３】図１の完全組立て状態図で、携帯通信端末器への装着例を示す図である。
【図４】図３の背面図である。
【図５】図４の要部の拡大断面図である。
【発明を実施するための形態】
【００２６】
以下、本発明に係る携帯通信端末器用ケースを実施するための形態を図面に基づいて説明する。
【００２７】
この形態では、前面にタッチパネル式の表示画面が設けられたスマートフォンからなる薄性の携帯通信端末器Ｐに適用されるものを示してある。
【００２８】
この形態は、図１に示すように、携帯通信端末器Ｐに装着されるケース本体１と呼出表示機能を奏するユニット板Ｕ（発光体２，コントローラ３，バッテリ４，スイッチ５，バッテリホルダ６，基板７）とからなる。
【００２９】
ケース本体１は、携帯通信端末器Ｐの背面を覆う背面板１ａと携帯通信端末器Ｐの長手辺に沿った２つの側面を覆う側面板１ｂと携帯通信端末器Ｐの短手辺に沿った２つの側面の隅部を覆う隅板１ｃとで囲まれ薄性の箱形状に形成され、表示画面が設けられている携帯通信端末器Ｐの前面を大きく開放した格好で装着することができるようになっている。背面板１ａの一部には、携帯通信端末器Ｐの背面に設けられているカメラのためのカメラ用窓１ｄと、ユニット板Ｕを収容するための長方形の一部を突出させた異形の長方形の収容溝１ｅとが窓形に開口されている。側面板１ｂの一部には、携帯通信端末器Ｐの側面に設けられている操作ボタンのための操作ボタン用窓１ｆが窓形に開口されている。これ等の背面板１ａ，側面板１ｂ，隅板１ｃは、透光性を有する合成樹脂材で一体成形されている。
【００３０】
ケース本体１の背面板１ａの表面側（携帯通信端末器Ｐの背面に対面する面の反対側面）には、表面シート１ｇが貼着される。表面シート１ｇは、背面板１ａの表面側の全面に貼着される面積を有しているが、背面板１ａのカメラ用窓１ｄに対応するカメラ用窓１ｈが窓形に開口されている。この表面シート１ｇは、透光性を有する合成樹脂シートからなるもので、窓形の収容溝１ｅ部分での押圧に対してわずかに凹入する変形性を有し、部分的に遮光性を有する塗料が定着されて透光，非透光の光装飾的な模様を構成することができるようになっている。なお、この表面シート１ｇの表面には、収容溝１ｅに収容されたユニット板Ｕに組込まれているスイッチ５に対面する部分付近にスイッチ５の位置を表示するスイッチ位置表示１ｉが設けられている（図４参照）。ケース本体１の背面板１ａの裏面側（携帯通信端末器Ｐの背面に対面する面）には、収容溝１ｅにユニット板Ｕが収容された後に裏面シート１ｊが貼着される。裏面シート１ｊは、背面板１ａの裏面側の全面に貼着される面積を有しているが、背面板１ａのカメラ用窓１ｄに対応するカメラ用窓１ｋと、収容溝１ｅに収容されたユニット板Ｕに組込まれているバッテリ４の交換のための円形のバッテリ交換用窓１ｌとが窓形に開口されている。
【００３１】
ユニット板Ｕは、発光体２，コントローラ３，バッテリ４，スイッチ５，バッテリホルダ６を基板７に実装して板状にユニット化したものである。
【００３２】
ユニット板Ｕに組込まれた発光体２は、小型のＬＥＤライトからなるもので、収容溝１ｅの異形の長方形の突出部分におさまる小ブロック体に形成され、基板７に遮光されないように基板７から突出された格好でコントローラ３に接続されている。
【００３３】
ユニット板Ｕに組込まれたコントローラ３は、各種素子類と回路とからなるもので、携帯通信端末器Ｐの呼出を検知して発光体２に点灯を指示するように設定されている。携帯通信端末器Ｐの呼出については、基地局からの呼出信号を検知したり、携帯通信端末器Ｐの呼出に応動した呼出通知のための発光，発音の電磁波や振動を検知することが考えられる。また、発光体２の点灯については、常時点灯，点滅さらには発色切換え等の形態を選択することができる。なお、スイッチ５をＯＮした場合に、確認のために発光体２を短時間点灯させるように設定することができる。
【００３４】
ユニット板Ｕに組込まれたバッテリ４は、発光体２の駆動源となる円形のボタン電池からなるもので、図２に示すように、ケース本体１の裏面シート１ｊに設けられたバッテリ交換用窓１ｌからバッテリホルダ６に対して着脱（挿入とスライドとによって）することができるようになっている。
【００３５】
ユニット板Ｕに組込まれたスイッチ５は、プッシュ形の小型スイッチからなるもので、操作部がケース本体１の表面シート１ｇに対面され、コントローラ３とバッテリ４とを断続する。
【００３６】
ユニット板Ｕに組込まれたバッテリホルダ６は、基板７に取付けられた小判形のカップからなるもので、一部がケース本体１の裏面シート１ｊに設けられたバッテリ交換用窓１ｌに開放され挿入されスライドされたバッテリ４を保持することができるようになっている。
【００３７】
ユニット板Ｕに組込まれた基板７は、長方形の絶縁性の合成樹脂板からなるもので、発光体２，コントローラ３，バッテリ４，スイッチ５，バッテリホルダ６を実装した状態でケース本体１の収容溝１ｅに嵌合されるように収容される。
【００３８】
この形態によると、呼出表示機能を奏するユニット板Ｕ（発光体２，コントローラ３，バッテリ４，スイッチ５，バッテリホルダ６，基板７）がケース本体１の収容溝１ｅに収容され外部に突出されなくなる。従って、ケース本体１の薄性の箱形状が維持され、薄性化された携帯通信端末器Ｐへの対応性を損なうことがない。
【００３９】
また、ケース本体１の収容溝１ｅに収容されたユニット板Ｕを貼着される表面シート１ｇ，裏面シート１ｊを利用して一体化しているため、一体化のための複雑な構造が避けられて安価，容易な製造が可能になるとともに、ケース本体１の収容溝１ｅからのユニット板Ｕずれ，脱落が防止され耐久性が高くなる。
【００４０】
この形態を使用するには、図３に示すように、ケース本体１の裏面シート１ｊに携帯通信端末器Ｐの背面を接合させるようにして、ケース本体１の側面板１ｂ，隅板１ｃに携帯通信端末器Ｐの側面を係合させるようにして装着させることになる。
【００４１】
装着された状態では、携帯通信端末器Ｐがケース本体１に嵌合された格好となるため、簡単に離脱することがない。なお、必要により、ケース本体１の側面板１ｂ，隅板１ｃに内側に屈曲，湾曲した爪を設けて、嵌合強度を高めることも可能である。そして、ケース本体１のカメラ用窓１ｄ，１ｈ，１ｋ，操作ボタン用窓１ｆの存在によって、携帯通信端末器Ｐの操作に支障をきたすことはない。また、ケース本体１の隅板１ｃによって携帯通信端末器Ｐの短手辺に沿った側面が大きく開放されているため、携帯通信端末器Ｐへの各種の接続端子の接続に支障をおよぼすことがない。
【００４２】
装着された状態でスイッチ５をＯＮにすると、ユニット板Ｕが機能することになる。このとき、ケース本体１の表面シート１ｇにスイッチ位置表示１ｉが設けられ、スイッチ５の位置を表面シート１ｇの表面側から確認することができるため、スイッチ５の操作を正確に行うことができる。また、ケース本体１の表面シート１ｇに変形性が備えられているため、スイッチ５の押動作も容易に行うことができる。なお、ケース本体１の表面シート１ｇは、スイッチ５の操作に関連する部分についての製造を容易にすることに寄与することにもなる。
【００４３】
スイッチ５がＯＮとなった状態では、コントローラ３の設定によって、携帯通信端末器Ｐの呼出の際に発光体２が発光することになる。従って、呼出表示機能が確実に奏される。なお、ケース本体１が透光性を有して表面シート１ｇに遮光性を有する塗料で透光，非透光の光装飾的な模様が構成されているため、発光体２の発光が非常にきれいな表示となる。
【００４４】
発光体２の駆動源となるバッテリ４については、消耗した際に、ケース本体１の裏面シート１ｊのバッテリ交換用窓１ｌから簡単に交換することができる。従って、使捨てではなく長期の使用が可能になる。
【００４５】
以上、図示した形態の外に、ケース本体１の表面シート１ｇを省略して収容溝１ｅを背面板１ａに掘込み式で形成することも可能である。
【符号の説明】
【００４６】
１   
ケース本体
１ｅ          収容溝
１ｇ          表面シート
１ｉ          スイッチ位置表示
１ｊ          裏面シート
１ｌ          バッテリ交換用窓
２            発光体
３            コントローラ
４            バッテリ
５            スイッチ
Ｐ            携帯通信端末器
Ｕ            ユニット板
【図１】
2014155003.tif 000003
【図２】
2014155003.tif 000004
【図３】
2014155003.tif 000005
【図４】
2014155003.tif 000006
【図５】
2014155003.tif 000007